(57)【要約】  【課題】イヤホンを装着した状態の携帯オーディオ機器を収納するものであって、該携帯オーディオ機器の収納時において、イヤホンコードを極めて簡単に絡まないようにまとめることができる携帯オーディオ機器用収納具とすること。  【解決手段】ベース板状部１と、該ベース板状部１の上下方向に沿って出し入れ可能とした出入れ口２１を有する主袋部２と、該主袋部２の幅方向の一方側に形成されたループ部３と、前記主袋部２の幅方向の他方側に形成された巻込み部４とからなること。該巻込み部４はイヤホンコードを巻き付け自在としてなること。【選択図】図１
2007209707.tif 000002
【特許請求の範囲】
【請求項１】
ベース板状部と、該ベース板状部の上下方向に沿って出し入れ可能とした出入れ口を有する主袋部と、該主袋部の幅方向の一方側に形成されたループ部と、前記主袋部の幅方向の他方側に形成された巻込み部とからなり、該巻込み部はイヤホンコードを巻き付け自在としてなることを特徴とする携帯オーディオ機器用収納具。
【請求項２】
請求項１において、前記ループ部は、弾性伸縮性を有してなることを特徴とする携帯オーディオ機器用収納具。
【請求項３】
請求項１又は２において、前記出入れ口は弾性伸縮性を具備してなることを特徴とする携帯オーディオ機器用収納具。
【請求項４】
請求項１,２又は３において、前記主袋部の底部には貫通孔が形成されてなることを特徴とする携帯オーディオ機器用収納具。
【請求項５】
請求項１,２,３又は４において、前記ベース板状部の裏面側には、カード収納可能な副袋部が形成されてなることを特徴とする携帯オーディオ機器用収納具。
【発明の詳細な説明】
【技術分野】
【０００１】
本発明は、イヤホンを装着した状態の携帯オーディオ機器を収納するものであって、該携帯オーディオ機器の収納時において、イヤホンコードを極めて簡単に絡まないようにまとめることができる携帯オーディオ機器用収納具に関する。
【背景技術】
【０００２】
近年、（ハードディスクが装着された）デジタル又はカセットテープ等のアナログの携帯オーディオ機器が一般に普及している。そして、多くの人達が前記携帯オーディオ機器を持ち歩き、場所に拘束されることなく、音楽を楽しんでみたり、又は学習ソフトで勉強することができるようになった。
【０００３】
さらに、携帯オーディオ機器は、通常、持ち歩くことが多いため、ケース,バッグ等の収納具が携帯オーディオ機器に付属していたり、或いは種々のものが販売されている。ところが、その収納具の多くは、特許文献１に開示されているように、携帯オーディオ機器の本体を収納するものであって、イヤホンについては、収納具の本体とは別のスペースに収納したり、或いは本体を収納する収納具とは全く別の容器に入れたりしなければならない。
【特許文献１】実用新案登録第３１１５３２５号
【発明の開示】
【発明が解決しようとする課題】
【０００４】
上記特許文献１では、携帯オーディオ機器本体を収納するものであるが、イヤホンは、バッグに無造作に収納されることになる。そのために、イヤホンコードが絡みやすくなり、携帯オーディオ機器を使用するときに、絡まってしまったイヤホンコードを一旦ほぐさなくては(解かなくては)ならない。しかし、バスや電車で腰掛けているときならばよいが、満員状態で立ち姿勢のときには、絡んでしまったイヤホンコードをほぐすことは極めて困難なことである。
【０００５】
また、イヤホンコードをバッグに無造作にいれておくことで、他の収納物に絡み合ってしまい、物品の出し入れも面倒になることもある。また、イヤホンのみを収納するためのケースも多く存在しているが、このイヤホン専用ケースにイヤホンを収納するためには、イヤホンを携帯オーディオ機器から取り外さなくてはならない。
【０００６】
携帯オーディオ機器は、一般的には、イヤホンを使用して、音楽を聴くものであるから、携帯オーディオ機器を使用する人は、ほとんどイヤホンのプラグを携帯オーディオ機器に接続したままの状態にしておくことが多いものである。したがって、イヤホン専用ケースは仮に、常備していたとしても、携帯オーディオ機器からイヤホンをわざわざ取り外してイヤホン専用ケースに収納することは、ほとんど行われないことが多い。
【０００７】
本発明が解決しようとする課題（技術的課題又は目的）は、携帯オーディオ機器にイヤホンが接続されたまま、そのイヤホンコードを極めて簡単に、絡まないようにまとめておくことができると共に、まとめられたイヤホンを使用するときには、いつでもすぐにそのイヤホンを使用することができるようにすることを実現することである。
【課題を解決するための手段】
【０００８】
そこで、発明者は、上記課題を解決すべく、鋭意，研究を重ねた結果、請求項１の発明を、ベース板状部と、該ベース板状部の上下方向に沿って出し入れ可能とした出入れ口を有する主袋部と、該主袋部の幅方向の一方側に形成されたループ部と、前記主袋部の幅方向の他方側に形成された巻込み部とからなり、該巻込み部はイヤホンコードを巻き付け自在としてなる携帯オーディオ機器用収納具としたことにより、上記課題を解決した。請求項２の発明は、前述の構成において、前記ループ部は、弾性伸縮性を有してなる携帯オーディオ機器用収納具としたことにより、上記課題を解決した。
【０００９】
請求項３の発明は、前述の構成において、前記出入れ口は弾性伸縮性を具備してなる携帯オーディオ機器用収納具としたことにより、上記課題を解決した。請求項４の発明は、前述の構成において、前記主袋部の底部には貫通孔が形成されてなる携帯オーディオ機器用収納具としたことにより、上記課題を解決した。次に、請求項５の発明は、前述の構成において、前記ベース板状部の裏面側には、カード収納可能な副袋部が形成されてなる携帯オーディオ機器用収納具としたことにより、上記課題を解決した。
【発明の効果】
【００１０】
請求項１の発明によって、主袋部の幅方向の一方側に形成されたループ部と、前記主袋部の幅方向の他方側に形成された巻込み部を備えたものであり、主袋部に携帯オーディオ機器を収納した状態でイヤホンのイヤホンコードを携帯オーディオ機器と共にベース板状部にイヤホンコードを巻き付けることにより、前記ベース板状部にあと１巻するには短く、且つそのままループ部にイヤホンヘッドを引掛けるには長すぎる状態にあるフリー状態のイヤホンコードの長さを短くして、イヤホンヘッドを前記ループ部に引掛けて保持し易い長さに微調整することができる。これによってイヤホンヘッドをループ部に弛むことなく引掛けて、まとめておくことができ、イヤホンコードが絡まるような煩わしさを防止することができる。
【００１１】
請求項２の発明によって、前記ループ部に弾性伸縮性を有することで、このループ部にイヤホンヘッドを引掛けることにより、ループ部はそのイヤホンコードを弾性的に緊張するように引っ張ることとなり、それゆえに、ループ部は、イヤホンコードをより一層弛みにくいものにできる。請求項３の発明によって、前記出入れ口は弾性伸縮性を具備していることで、主袋部に収納された携帯オーディオ機器をしっかりと保持することができる。
【００１２】
請求項４の発明は、前記主袋部の底部には貫通孔が形成されているので、携帯オーディオ機器を主袋部に収納した状態のままで、外部機器のプラグを携帯オーディオ機器に接続することができる。請求項５の発明は、前記ベース板状部の裏面側には、カード収納可能な副袋部が形成されているので、多様性に富む使用ができる。
【発明を実施するための最良の形態】
【００１３】
以下、本発明の実施形態を図面に基づいて説明する。本発明の構成は、図１及び図２に示すように、主にベース板状部１,主袋部２,ループ部３及び巻込み部４等によって構成されている。前記ベース板状部１は、芯材１１,被覆材１２及び縁布材１３から構成されている。前記ベース板状部１は、図１（Ｃ）に示すように、携帯オーディオ機器８の正面形状よりも若干、大きいサイズに形成されたものである。
【００１４】
前記芯材１１は、略長方形の薄板状に形成されたものであり、ボール紙等の厚紙,合成樹脂製の板材又は薄板金属材等が使用される。前記芯材１１は、図２（Ｃ），（Ｄ）に示すように、前記被覆材１２によって密着状態に被覆されている。該被覆材１２は、布,紙又は合成樹脂からなる繊維等である。このように、前記芯材１１が被覆材１２によって、全面が被覆され、その縁に縁布材１３によって、縫製仕上げが施されている〔図１（Ａ）及び図２（Ａ），（Ｂ）参照〕。
【００１５】
次に、主袋部２は、図１（Ｃ），図２（Ｄ）に示すように、前記ベース板状部１と共に主収納スペースを構成するものであって、カバー部２１が前記ベース板状部１に装着されている。前記カバー部２１は、略扁平状板形状の物品が収納可能な立方体状の収納スペースが構成されるように、前記ベース板状部１に縫い付けられている。カバー部２１は、前記ベース板状部１の被覆材１２と同質の素材から構成されており、ベース板状部１の周囲に縫い付けられた前記縁布材１３によって、補強縫いが行われている。
【００１６】
また、前記カバー部２１の上端の位置は、前記ベース板状部１の上下方向の略中間位置又はその中間位置よりも僅かに上方の位置となるように設定されている。そして、前記カバー部２１の上端が出入れ口２１ａとなっている。該出入れ口２１ａは、前記ベース板状部１の幅方向に沿って直線状に形成されている。
【００１７】
前記出入れ口２１ａは、弾性伸縮性を有するもので、拡げられた状態から常時縮むようにして、カバー部２１の幅方向（ベース板状部１の幅方向に等しい）に沿って伸びる帯状ゴムが使用されている。この弾性伸縮性を有する出入れ口２１ａによって、前記主袋部２に収納された携帯オーディオ機器８は、出入れ口２１ａ箇所がその弾性力を介して締付けが行われ、携帯オーディオ機器８を確実に保持することができるものである。
【００１８】
前記主袋部２のカバー部２１の底部箇所には、貫通孔部２２が形成されており、主袋部２に携帯オーディオ機器８が収納されたままの状態で、外部機器の接続コネクタ１０の使用が可能となる（６図参照）。
【００１９】
前記ベース板状部１の正面側で且つ主袋部２の幅方向の一方側には、ループ部３が形成されている。該ループ部３は、紐状部材であって、前記ベース板状部１と共にループ状態を構成している。前記ループ部３を構成する紐状部材は、弾性伸縮性を有することが好ましく、ゴム紐が好適である。このループ部３には、イヤホン９のイヤホンヘッド９１が引っ掛けられるようになっている。前記ループ部３の紐状部材のベース板状部１に固着される両端は、適宜の間隔を有している。
【００２０】
次に、巻込み部４は、巻込みドラム４１が台座部４２に固着されたものである。前記巻込みドラム４１は、円筒形状の支柱４１ａと、フランジ４１ｂとから構成されたものであり、前記支柱４１ａとフランジ４１ｂとが一体成形されている。台座部４２は、帯状の布が２つ折りにされたものであり、前記ベース板状部１に縫着されている。そして、前記巻込みドラム４１の支柱４１ａの軸端部が略リベット構造又はハトメ構造にて固着されている。そして、巻込みドラム４１は、フレキシブルな前記台座部４２によって、台座部４２の範囲において自由に位置を可変することができる。この巻込みドラム４１は、ジーンズ用ボタン等が使用される。
【００２１】
前記ベース板状部１の裏面側には、図２（Ｃ）及び図７に示すように、副袋部５が設けられている。該副袋部５は、特にカード類を収納する役目をなすものである。該副袋部５は、副カバー部５１が、前記ベース板状部１の裏面側に略密着状となるように装着されており、前記出入れ口５１ａは、常時ベース板状部１に接触している。カード類は、前記出入れ口５１ａから差し込むようにして、収納するものである。
【００２２】
さらに、前記ベース板状部１の裏面側には、吊下げ部６が装着されている。該吊下げ部６は、リング６１と接続用布部６２とから構成され、該接続用布部６２は、帯状布が２つ折りにされて、前記ベース板状部１の縁布材１３と共に縫製固着されたものであり、その２つ折りにして重合された帯状ループとされた接続用布部６２にリング６１が装着されたものである。
【００２３】
次に、本発明の携帯オーディオ機器用収納具において、携帯オーディオ機器８の収納時におけるイヤホン９のイヤホンヘッド９１とイヤホンコード９２をループ部３に引掛けてまとめる手順を図３乃至図５に基づいて説明する。まず、前記主袋部２に携帯オーディオ機器８が収納される。前記イヤホン９は、前記接続プラグ９３が前記携帯オーディオ機器８に接続されたままの状態である〔図３（Ａ）参照〕。イヤホン９のイヤホンコード９２は、前記携帯オーディオ機器８が収納された主袋部２及びベース板状部１に適当な回数に巻き付ける〔図３（Ｂ）参照〕。
【００２４】
このイヤホンコード９２の巻き付けは、該イヤホンコード９２の接続プラグ９３から前記ベース板状部１の裏面側に沿わせて、該ベース板状部１の巻込み部４側から表面側に向かって巻き付けを行うものである。イヤホンコード９２の巻付方向は、必ずしも前述の方向でなくてもかまわない。そして、イヤホンコード９２をベース板状部１に数回巻き付けることにより、該イヤホンコード９２のベース板状部１に巻き付けられていないフリー状態の部分が残る。
【００２５】
このイヤホンコード９２の残りのフリー状態部分の長さＬａは、前記ベース板状部１に１周巻き付けるには短く、イヤホンヘッド９１をループ部３に引掛けて保持するには長すぎる状態である。すなわち、前記イヤホンコード９２の前記ベース板状部１に巻き付けられていない残りのフリー状態部分の長さＬａは、前記ベース板状部１の幅方向の寸法よりも僅かに長い程度である。前記イヤホンコード９２の巻き付けられていない長さＬａとしたフリー状態の部分を前記巻込み部４の巻込みドラム４１の支柱４１ａに２乃至５程度の回数を巻き付ける〔図４（Ａ），（Ｃ）参照〕。
【００２６】
このようにして、フリー状態のイヤホンコード９２の長さを調整して、イヤホンヘッド９１をループ部３に引掛けて、適正な緊張を持ってイヤホンヘッド９１がループ部３に保持される寸法とする。そして、前記ループ部３に対して、イヤホン９のイヤホンヘッド９１を、適正な緊張で引掛けることができるようにした状態における巻込み部４からイヤホンヘッド９１までのフリー状態のイヤホンコード９２の長さをＬｂとする〔図４（Ｂ）参照〕。そして、前述したように、前記巻込み部４にイヤホンコード９２を巻き付けて、フリー状態のイヤホンコード９２の長さを、長さＬａから長さＬｂとなるように調節し、前記ベース板状部１及び巻込み部４に巻き付けられていない部分の長さを適正に短くしてから、前記イヤホンヘッド９１を前記ループ部３に引掛けるものである。
【００２７】
このループ部３にイヤホンヘッド９１を引掛けた状態は、前記ループ部３とイヤホンコード９２の相互に適正な緊張が生じるようにすることが安定した保持となる。これによって、前記イヤホンコード９２には弛みがなく、前記ループ部３によって、前記イヤホン９が確実に固定保持されることになる（図５参照）。
【００２８】
また、イヤホン９を使用したいときにも、ループ部３に引掛けられたイヤホンヘッド９１を外すことにより、すぐにイヤホン９を使用することができる。さらにまた、この携帯オーディオ機器用収納具は、図７（Ｂ）に示すように、ポーチ７に収納されることも多く、ベース板状部１が板状に形成されていることにより、前記ポーチ７内への収納も行い易いものである。
【図面の簡単な説明】
【００２９】
【図１】（Ａ）は本発明の斜視図、（Ｂ）は携帯オーディオ機器を収納してイヤホンコードをベース板状部に巻き付けてイヤホンヘッドをループ部に引掛けた状態の斜視図、（Ｃ）は携帯オーディオ機器のイヤホンコードをほどいた状態の斜視図である。
【図２】（Ａ）は本発明の正面図、（Ｂ）は本発明の側面図、（Ｃ）は（Ａ）のＸａ−Ｘａ矢視断面図、（Ｄ）は（Ａ）のＸｂ−Ｘｂ矢視断面図である。
【図３】（Ａ）はイヤホンコードを携帯オーディオ機器を収納した状態のベース板状部に巻き付けている状態を示す行程図、（Ｂ）はイヤホンコードが数回巻きつけられた状態図である。
【図４】（Ａ）はベース板状部に巻き残されたフリー状態のイヤホンコードを巻込み部に巻き付けようとする行程図、（Ｂ）は巻込み部によってフリー状態のイヤホンコードの長さが微調整されループ部に引掛け可能な長さとした状態図、（Ｃ）は巻込みドラムの支柱にイヤホンコードを巻き付ける行程を示す拡大略示図である。
【図５】ループ部にイヤホンヘッドが引掛けられてイヤホンのベース板状部へのまとめが完了した状態図である。
【図６】主袋部に携帯オーディオ機器が収納された状態で携帯オーディオ機器に外部接続機器を接続しようとする作用図である。
【図７】本発明の裏面より見た斜視図である。
【図８】本発明をポーチに収納した状態の斜視図である。
【符号の説明】
【００３０】
1…ベース板状部、２…主袋部、２１…出入れ口、２２…貫通孔、３…ループ部、
４…巻込み部、５…副袋部。
【図１】
2007209707.tif 000003
【図２】
2007209707.tif 000004
【図３】
2007209707.tif 000005
【図４】
2007209707.tif 000006
【図５】
2007209707.tif 000007
【図６】
2007209707.tif 000008
【図７】
2007209707.tif 000009
【図８】
2007209707.tif 000010